(57)【要約】【構成】所要数の透孔を有する上部支持板及び下部支持板を備え、これらの上部支持板と下部支持板とを所定間隔を介して略平行に配置するとともにこれらの上部支持板と下部支持板とを介在部材によって連結した生花固定具である。【効果】水張容器に設置して、上部支持板の透孔及び下部支持板の透孔に上方から生花を単に貫通させ、その下端部を水張容器に達するようにするだけで、生花を水張容器に固定することができる。この場合、上部支持板の透孔及び下部支持板の透孔を適宜関係で選択することにより、花飾りの形態を自由に変形できる。この生花固定具を使用することにより、葉類やつるのもの等の柔軟な生花類でも水張容器に容易に固定することができ、また、透孔に貫通させることによって固定するため、刺し直しが可能となるとともに同じ形態に刺し直しをすることもできる。【選択図】　　　　　図１
2004033643.tif 000002
【特許請求の範囲】
【請求項１】
所要数の透孔を有する上部支持板及び下部支持板を備え、これらの上部支持板と下部支持板とを所定間隔を介して略平行に配置するとともにこれらの上部支持板と下部支持板とを介在部材によって連結したことを特徴とする生花固定具。
【請求項２】
請求項１の生花固定具において、前記上部支持板及び下部支持板を網板によって形成したことを特徴とする生花固定具。
【請求項３】
請求項１の生花固定具において、前記上部支持板及び下部支持板をパンチングメタル材によって形成したことを特徴とする生花固定具。
【請求項４】
請求項１の生花固定具において、更に、前記下部支持板の少なくとも下面が水張容器によって収容されていることを特徴とする生花固定具。
【請求項５】
請求項４の生花固定具において、前記下部支持板及び前記上部支持板を貫通するように管材を設置し、この管材の上端開口を開放するとともに下端開口を前記水張容器に開放したことを特徴とする生花固定具。
【請求項６】
請求項１の生花固定具において、前記介在部材として前記水張容器を使用したことを特徴とする生花固定具。
【発明の詳細な説明】
【０００１】
【産業上の利用分野】
この発明は生花固定具に関し、生花を固定して花飾りをつくる場合に水張容器に設置して使用される。
【０００２】
【従来の技術】
従来において、生花を鉢等に固定して花飾りをつくる場合、鉢等（水張容器）の中に吸水ホームを設置し、この吸水ホームに水を浸した後生花を適宜刺し込んでいた。
【０００３】
【発明が解決しようとする課題】
しかしながら、かかる従来の方法にあっては、吸水ホームに生花を差し込んで花飾りを作っていたため、葉類やつるのもの等の柔軟な生花類は設置しにくく、また、差し込んだ後が割れ目等として残るため刺し直しがしにくく、また、刺し直しをした場合、同じ形態を維持しにくいという不都合を有した。また、振動した際に刺し込んだ生花が緩んで抜けやすくこのため花飾りを搬送しにくいという不都合を有した。さらに、その吸水ホームは使い捨てであったため、生花を固定する場合には常に別途に用意しなければならず、その準備、更に、後片付けや廃棄処分にも手間がかかるという不都合を有した。
【０００４】
この発明の課題はこれらの不都合を解消することである。
【０００５】
【課題を解決するための手段】
上記課題を達成するために、この発明に係る生花固定具においては、所要数の透孔を有する上部支持板及び下部支持板を備え、これらの上部支持板と下部支持板とを所定間隔を介して略平行に配置するとともにこれらの上部支持板と下部支持板とを介在部材によって連結したものであるため、
水張容器に設置して、上部支持板の透孔及び下部支持板の透孔に上方から生花を単に貫通させ、その下端部を前記水張容器に達するようにするだけで、生花を水張容器に固定することができる。この場合、上部支持板の透孔及び下部支持板の透孔を適宜関係で選択することにより、花飾りの形態を自由に変形できる。
【０００６】
なお、前記上部支持板及び下部支持板を網板によって形成すれば、これらの上部支持板及び下部支持板を容易に形成することができる。また、これらの上部支持板及び下部支持板の形態を容易に変形させることができる。
【０００７】
また、前記上部支持板及び下部支持板をパンチングメタル材によって形成すれば、しっかりした壊れにくいものを製造することができる。
【０００８】
また、更に、前記下部支持板の少なくとも下面を水張容器によって収容するようにすれば、下部支持板の透孔に生花を貫通した場合にその下端部を水張容器の水に浸すことができるものである。
【０００９】
また、前記下部支持板及び前記上部支持板を貫通するように管材を設置し、この管材の上端開口を開放するとともに下端開口を前記水張容器に開放するようにすれば、この管材を把手として使用することができるとともにこの管材を介して前記水張容器に水を供給することもできる。
【００１０】
また、前記介在部材として前記水張容器を使用すれば、簡易にこの生花固定具を使用することができる。
【００１１】
【実施例】
図１はこの発明に係る生花固定具の断面図、図２は下部支持板及び上部支持板の他の実施例の部分、図３はこの発明に係る生花固定具の第二実施例の断面図、図４は同第三実施例の断面図である。
【００１２】
図１において、Ｃは鉢等の水張容器であり、水Ｗが収容されている。
Ａは生花固定具であり、前記水張容器Ｃに設置されている。
【００１３】
１０は環状枠１３に金網を張設した下部支持板であり、前記水張容器Ｃの水中において略水平状態に配置されている。また、２０は環状枠２３に金網を張設置した上部支持板であり、前記水張容器Ｃ内の上部空間に配置されている。この上部支持板２０は前記下部支持板１０よりも大径であり、介在棒３０，３０によって連結固定されている。２１は物置凹部であり、前記上部支持板２０の略中心部に形成されている。この物置凹部２１には水に浸すことのできない鉢物（生花）等Ｄが載置される。
【００１４】
Ｆは生花であり、その茎等を前記上部支持板２０の網目（この発明の「透孔」に相当する）２２および前記下部支持板１０の網目（この発明の「透孔」に相当する）１２を貫通させ、その下端部は前記水張容器Ｃの底面に達している。このように、生花Ｆを前記上部支持板２０の網目２２および前記下部支持板１０の網目１２に設置することによって花飾りＰを製造することができる。なお、前記上部支持板２０および前記下部支持板１０は金網以外の網板によって製造することもできるし、図２に示すパンチングメタル材８０によって製造することもできる。この場合、パンチングメタル材８０の透孔８１がこの発明の「透孔」に相当する。
【００１５】
５０は管材であり、その下端部が前記下部支持板１０を貫通した状態で固定され、且つ、その上端部が前記上部支持板２０を貫通した状態で固定されている。この管材５０の上端開口は大気中に開放されているとともにその下端開口を前記水張容器Ｃに開放されている。このため、この管材５０を介して前記水張容器Ｃに水を供給することができる。特に、前記上部支持板２０が生花Ｆで覆われた場合に、この管材５０が役に立つ。また、この管材５０の上端開口に名札やメッセージカード等６０等を差し込んで、生花を固定した状態の商品価値を高めることができる。なお、この管材５０を介在部材として使用して、上記介在棒３０の設置を省略することができる。また、５１は生花固定具Ａを前記水張容器Ｃに固定する係止金具であり、生花固定具Ａに設置されている。
【００１６】
図３は第二実施例であり、前記水張容器Ｃを前記下部支持板１０に固定したものである。このように構成すれば、生花固定具Ａをそのままの状態で生花Ｆを固定して花飾りＰを作ることもできるし、図２に示すように、水の張ってない鉢等Ｂに花飾りＰを設置することもでき、その用途は拡大する。
【００１７】
図４は第三実施例であり、前記水張容器Ｃに直接前記下部支持板１０および前記上部支持板２０を内嵌めした状態で嵌着したものである。この場合、前記水張容器Ｃがこの発明の「介在部材」に相当する。このように、下部支持板１０および前記上部支持板２０を設置すれば、「介在部材」を別途に用意する必要がないため、低コストで製造することができる。なお、下部支持板１０および前記上部支持板２０とを紐等７０で繋げ、上部支持板２０に補助紐７１を繋げておけば、この補助紐７１を引くのみで、これら１０，２０　の取り外しが簡単にできるものである。
【００１８】
【発明の効果】
この発明に係る生花固定具は、この発明に係る生花固定具においては、所要数の透孔を有する上部支持板及び下部支持板を備え、これらの上部支持板と下部支持板とを所定間隔を介して略平行に配置するとともにこれらの上部支持板と下部支持板とを介在部材によって連結したものであるため、
水張容器に設置して、上部支持板の透孔及び下部支持板の透孔に上方から生花を単に貫通させ、その下端部を前記水張容器に達するようにするだけで、生花を水張容器に固定することができる。この場合、上部支持板の透孔及び下部支持板の透孔を適宜関係で選択することにより、花飾りの形態を自由に変形できる。
【００１９】
よって、この生花固定具を使用することにより、葉類やつるのもの等の柔軟な生花類でも水張容器に容易に固定することができ、また、透孔に貫通させることによって固定するため、従来と異なり刺しなおしが可能となるとともに同じ形態に刺し直しをすることもできる。また、振動した際にも生花が透孔から抜けることはないため花飾りを搬送しやすいものである。更に、この生花固定具は半永久的に使用することができるため、従来のように、吸水ホームを別途に用意したり、後片付けや廃棄処分をする必要がない結果、生花の固定作業の作業能率を極めて向上させることができる。
【００２０】
なお、前記上部支持板及び下部支持板を網板によって形成すれば、これらの上部支持板及び下部支持板を容易に形成することができる。また、これらの上部支持板及び下部支持板の形態を容易に変形させることができ、花飾りの形態をより変化に富んだものにすることができる。
【００２１】
また、前記上部支持板及び下部支持板をパンチングメタル材によって形成すれば、しっかりした壊れにくいものを製造することができる。
【００２２】
また、更に、前記下部支持板の少なくとも下面を水張容器によって収容するようにすれば、下部支持板の透孔に生花を貫通した場合にその下端部を水張容器の水に浸すことができるものである。
【００２３】
また、前記下部支持板及び前記上部支持板を貫通するように管材を設置し、この管材の上端開口を開放するとともに下端開口を前記水張容器に開放するようにすれば、この管材を把手として使用することができるとともにこの管材を介して前記水張容器に水を供給することもできる。
【００２４】
よって、花飾りを長期にわたって維持することもできる。
【００２５】
また、前記介在部材として前記水張容器を使用すれば、簡易にこの生花固定具を使用することができる。
【図面の簡単な説明】
【図１】
【実施例】図１はこの発明に係る生花固定具の断面図である。
【図２】図２は下部支持板及び上部支持板の他の実施例の部分図である。
【図３】図３はこの発明に係る生花固定具の第二実施例の断面図である。
【図４】図４は同第三実施例の断面図である。
【符号の説明】
１２　…　網目（透孔）
２２　…　網目（透孔）
２０　…　上部支持板
１０　…　下部支持板
３０　…　介在棒（介在部材）
Ａ　…　生花固定具
８０　…　パンチングメタル材
Ｃ　…　水張容器
５０　…　管材
【図１】
2004033643.tif 000003
【図２】
2004033643.tif 000004
【図３】
2004033643.tif 000005
【図４】
2004033643.tif 000006